(57)【要約】風力タービンは、回転可能フレームと、回転可能フレームの回転軸と平行な方向に延在する複数の翼と、回転可能フレームを囲繞するエンクロージャとを含み、エンクロージャは、回転可能フレームの前半部上へ気流を誘導し、回転可能フレームの後半部上への気流を阻止し、それによって回転可能フレームを回転させるように構成される複数の可動部材を備える。可動部材は、気流の方向と平行な方向に配向されることによって開放され得る、枢動可能ルーバーであり得る。枢動可能ルーバーの配向を変更することによって、本風力タービンは、任意の方向に吹く風から電気を生成し得る。
2009531600.tif 000002
【特許請求の範囲】
【請求項１】
回転可能フレームと、
該回転可能フレームに取り付けられた複数の翼であって、該回転可能フレームの回転軸と平行な方向に延在する、翼と、
該回転可能フレームを囲繞するエンクロージャであって、該回転可能フレームの第１の部分上へ気流を誘導し、該回転可能フレームの第２の部分上への気流を阻止するように構成された複数の可動部材を備える、エンクロージャと、
を備える、風力タービン。
【請求項２】
前記回転可能フレームの前記第１の部分上へ誘導された気流が、該回転可能フレームを回転させる、請求項１に記載の風力タービン。
【請求項３】
前記可動部材は、枢動可能ルーバーを備える、請求項１に記載の風力タービン。
【請求項４】
前記枢動可能ルーバーは、前記気流の方向と平行な方向に配向されることによって開放される、請求項３に記載の風力タービン。
【請求項５】
前記可動部材は、前記回転可能フレームの前記第１および第２の部分がほぼ等しいサイズとなるように設置される、請求項１に記載の風力タービン。
【請求項６】
前記可動部材は、前記回転可能フレームの片方の半分上への気流を阻止するように設置される、請求項１に記載の風力タービン。
【請求項７】
前記回転可能フレームの前記第１および第２の部分は、該回転可能フレームの回転軸を通る線によって分割される該回転可能フレームの相対する半分を備える、請求項１に記載の風力タービン。
【請求項８】
前記回転可能フレームの前記回転軸に対して垂直な気流が、該回転可能フレームを回転させる、請求項１に記載の風力タービン。
【請求項９】
前記回転可能フレームは、鉛直軸の回りに回転する、請求項１に記載の風力タービン。
【請求項１０】
前記回転可能フレームは、発電機の回転子である、請求項１に記載の風力タービン。
【請求項１１】
前記回転可能フレームと接触する発電機駆動輪をさらに備える、請求項１に記載の風力タービン。
【請求項１２】
前記エンクロージャは、矩形形状である、請求項１に記載の風力タービン。
【請求項１３】
気流方向センサをさらに備える、請求項１に記載の風力タービン。
【請求項１４】
前記回転可能フレームの前記第１の部分上へ気流を誘導し、該回転可能フレームの前記第２の部分上への気流を阻止するように前記可動部材を動かす、部材位置決めシステムをさらに備える、請求項１３に記載の風力タービン。
【請求項１５】
前記部材位置決めシステムは、枢動可能ルーバーを回転させて前記回転可能フレームの前記第１の部分上の気流の方向に開放する、請求項１４に記載の風力タービン。
【請求項１６】
風力タービンを運転する方法であって、該方法は、
風力タービンの第１の部分上へ気流を誘導し、該風力タービンの第２の部分上への気流を阻止し、それによって、該風力タービンを回転させるように、複数の可動部材を位置決めするステップを包含し、
該風力タービンは、
回転可能フレームと、
該回転可能フレームに取り付けられた複数の翼であって、該回転可能フレームの回転軸と平行な方向に延在する、翼と、
を備える、
方法。
【請求項１７】
前記回転可能フレームの前記第１および第２の部分がほぼ等しいサイズとなるように、前記可動部材を位置決めするステップをさらに包含する、請求項１６に記載の方法。
【請求項１８】
前記複数の可動部材を位置決めするステップは、前記風力タービンを囲繞する複数のルーバーを枢動させるステップを包含する、請求項１６に記載の方法。
【請求項１９】
前記回転可能フレームの前記第１および第２の部分は、該回転可能フレームの回転軸を通る線によって分割される該回転可能フレームの相対する半分を備える、請求項１７に記載の方法。
【請求項２０】
気流の方向を感知するステップと、
該気流の方向に応じて、前記複数の可動部材を位置決めするステップと、
をさらに包含する、請求項１６に記載の方法。
【発明の詳細な説明】
【技術分野】
【０００１】
本発明は、概して、発電用風力タービンに関し、より具体的には、翼を有する風力タービンに関する。
【背景技術】
【０００２】
発電用の従来型風力タービンの設計は、すでに数多く存在する。最も一般的には、そのような設計は、鉛直のマストの上端に取り付けられた単一の大型プロペラを含む。プロペラを通過する気流がプロペラを回転させ、プロペラが発電機を回転させて、電気を生成する。
【０００３】
そのような従来型風力タービンは、多数の不利点を有する。第１に、それは、地面の上の大きな距離に取り付けることを要する大型プロペラを含む。したがって、それは、プロペラが取り付けられる、高い頑強なマストを必要とする。大型回転プロペラ羽根システムの第２の不利点は、多数の鳥類を殺害する傾向にあることである。そのような設計の第３の不利点は、発電機が、一般的には、回転羽根の中心に設置されることである。したがって、発電機は、プロペラと共にマスト上部に取り付けられる。これによって、プロペラおよび発電機の両方を支持するために、マストが十分に強固であることが必要となる。その結果として、修理および付帯サービスのために、タービンにアクセスすることが困難である。従来のプロペラの第４の不利点は、羽根が、風向に対して垂直方向に回転することである。その結果として、空気を通過するプロペラ羽根速度は、プロペラの回転中心からの距離に従って増加する。残念ながら、これは、一定でない複雑な羽根断面形状を必要とする。
【発明の開示】
【課題を解決するための手段】
【０００４】
本発明は、回転可能フレームと、回転可能フレームに取り付けられた複数の翼であって、回転可能フレームの回転軸と平行な方向に延在する翼と、回転可能フレームを囲繞するエンクロージャであって、回転可能フレームの第１の部分上へ気流を誘導し、回転可能フレームの第２の部分上への気流を阻止するように構成された複数の可動部材を備えるエンクロージャとを備える、風力タービンを提供する。
【０００５】
本発明に従って、気流は、回転可能フレームの第１の部分上へのみ誘導され、それによって、回転可能フレームを回転させる。好ましくは、可動部材は、気流の方向と平行な方向に配向されることによって開放される枢動可能（ｐｉｖｏｔａｂｌｅ）ルーバーを備える。種々の実施形態では、可動部材によって形成されるエンクロージャは、長方形または正方形、あるいは円形形状であり得る。
【０００６】
回転可能フレームの回転軸に垂直な気流が、回転可能フレームを回転させる。好ましくは、回転可能フレームは、鉛直軸の回りに回転する。回転可能フレームの回転は、回転可能フレームと接触する発電機駆動輪を介して、または発電機の回転子として機能する回転可能フレーム本体によって、電気を生成するために使用され得る。
【０００７】
本発明はまた、風力タービンを運転する方法を提供し、本方法は、風力タービンの第１の部分上に気流を誘導し、風力タービンの第２の部分上への気流を阻止し、それによって、風力タービンを回転させるように、複数の可動部材を位置決めするステップを含み、風力タービンは、回転可能フレームと、回転可能フレームに取り付けられた複数の翼とを備え、翼は、回転可能フレームの回転軸と平行な方向に延在する。本方法の一局面では、風力タービンを囲繞する複数の枢動可能ルーバが、風力タービンの第１の部分を通過する気流の方向と平行な方向に開放される。
【０００８】
好適な方法に従って、可動部材は、好ましくは、回転可能フレームの第１の部分および第２の部分がほぼ等しいサイズとなる（回転可能フレームの回転軸を通る線によって分割される、回転可能フレームの相対する半分を備える）ように、位置決めされる。
【０００９】
本風力タービンの第１の利点は、建物（地面上のより高い位置において風はより強くかつ安定しているために、特に高層ビル）の頂部に設置することが、理想的に好適であるということである。図に見られるとおり、本風力タービンの中心部分は空洞である。したがって本風力タービンは、エレベータ、ＨＶＡＣ、および通信機器のような構造のための余地を建物の屋根の中心上に残して、建物頂部に載置され得る。また、図示されるように、本風力タービンは、異なる方向から建物に吹いてくる風を捕捉しながら、発電用に使用され得る。さらに、高層ビルで使用されるときには、本風力タービンは、任意ではあるが、建物の異なる階の間に設置され得る。
【００１０】
本発明の第２の利点は、翼を使用することによって、翼の揚力および翼の抗力の両方を利用して、回転可能フレームを回転させることである。
【００１１】
翼を使用する第３の利点は、翼の全幅にわたって同一の翼断面が使用され得ることである。したがって、風力タービンの出力は、翼の高さを増すことによって、単純に増加し得る。対照的に、従来のプロペラシステムでは、システム全体の出力を増加するためには、プロペラの直径を大きくすることが必要である。
【００１２】
本発明の第４の利点は、重心が低いことである。したがって、非常に安定している。さらに、本システムは、地面の上の一定の距離にプロペラおよびタービンを支持するための、強固かつ重いマストを必要としない。これは、本システムの重量およびサイズ制限を大幅に低減し、従来の設計と比較してコスト削減をもたらす。さらに、発電機駆動輪（およびタービン本体）を地面または床の近傍、あるいは建物の屋根の上に設置することによって、タービン／駆動システムの修理および付帯サービスのためのアクセスが容易となる。
【００１３】
本翼設計の第５の利点は、それぞれの翼が、その前縁の全長に沿って同一の風速を受けることである。翼の前縁に沿った全ての点において等しい風速を受けることは、翼全長に沿って単一の単純な翼断面を可能にする。したがって、風力タービンの水平方向の直径ではなく、その鉛直方向の高さが、発電力を左右する。さらに、翼を装置の外周に配置することが、可能な最も長いトルクレバーアームをもたらす。これは、単位発生翼力当たりの最大トルクをもたらす。
【発明を実施するための最良の形態】
【００１４】
本発明は、理想的には、建物頂部において水平姿勢で運転するために好適である風力タービンを提供する。図１および図２は、枢動可能ルーバーによって形成されるエンクロージャに囲繞された、中央の回転可能フレームを備える風力タービンを示す。図示されるように、枢動可能ルーバは、建物の外周近傍に設置される。図３Ａ〜図３Ｄは、建物上の風力タービンに吹いてくる風向に応じて、異なる配向に位置決めされる枢動可能ルーバを示す。図４Ａおよび図４Ｂは、風がタービンを回転させる様子を示す。最後に、図５は、回転可能フレームが取り付けられる構造の詳細を示す。
【００１５】
図１は、建物Ｂの頂部に位置する風力タービン１０を示す。風力タービン１０は、そこに取り付けられた複数の翼１４を有する回転可能フレーム１２を含む。翼１４は、鉛直方向に（すなわち、回転可能フレーム１２の回転軸Ａと平行な方向に）延在する。回転可能フレーム１２は、任意ではあるが、鉛直に配向された回転軸Ａの回りを自由に回転するように、車輪または軌道の上に構築され得る。軸Ａの回りを自由に回転するように回転可能フレーム１２を構築するために、種々の機械的構成が使用され得ることが理解される。（回転可能フレームを支持するために位置合わせ輪の対を使用する、そのような１つの機械的構成の詳細が、図５に示される。本発明は、そのような実施形態に限定されないことが理解されるべきである。）
風力タービン１０は、回転可能フレーム１２を囲繞するエンクロージャ２０をさらに含む。エンクロージャ２０は、可動部材から形成される。図１〜図３Ｄに図示されるように、そのような可動部材は、任意ではあるが、個別に枢動可能なルーバー２２を備え得る。エンクロージャ２０は、他の可動部材から構成され得ることが理解されるべきである。したがって、それは、個別に枢動可能なルーバーに限定されない。その代わりに、任意の好適な可動部材が使用され得る。また、エンクロージャ２０は、回転可能フレーム１２の全側面を完全に囲繞し得る（図示されるように）が、しかし、そのようにする必要はないことが理解されるべきである。
【００１６】
図２は、建物の頂部に位置する風力タービン１０を示す。図示されるように、風力タービン１０は、建物Ｂの頂部とほぼ同一のサイズである。そのようなサイズが有利であり得るが、風力タービン１０はその代わりに、建物Ｂの頂部よりも小さくあり得るために、本発明はそのように限定されないことが理解されるべきである。加えて、風力タービン１０は、任意ではあるが、異なる建物階の間に設置され得る。これは、高層ビルにおいて特に有用であり、いくつかの本風力タービンが、高層ビルの異なる階に設置され得る。
【００１７】
図３Ａ〜図３Ｄに示されるように、エンクロージャ２０を形成する複数の枢動可能ルーバー２２は、風向に応じて種々の位置に移動し得、回転可能フレーム１２の部分上へと気流を誘導して、回転可能フレーム１２を回転させる。例えば、風向が変化すると（図３Ａ〜図３Ｄの、Ｗ１、Ｗ２、Ｗ３、Ｗ４）、枢動可能ルーバー２２は異なる姿勢に動き得、その結果として、任意の異なる方向（Ｗ１、Ｗ２、Ｗ３、Ｗ４）からの風流が、回転可能フレーム１２を回転させるために利用され得る。図示されるように、これは、回転可能フレーム１２の第１の部分上へ気流を誘導するために、ルーバー２２のいくつかを開放することによって、および、回転可能フレームの第２の部分上への気流を阻止するために、ルーバー２２のいくつかを閉鎖することによって達成される。回転可能フレームの第１の部分上へ誘導される気流が、回転可能フレームを回転させる。
【００１８】
最初に図３Ａを参照すると、風は、風力タービン１０に対して方向Ｗ１から吹いている。領域２２Ａおよび２２Ｃ内の枢動可能ルーバーは、示される気流Ｗ１の方向と平行な配向に位置決めされることによって「開放」される。その結果として、気流は、回転可能フレーム１２の領域１２Ａに誘導される。領域２２Ｂ内の枢動可能ルーバーは、気流Ｗ１と垂直な配向に位置決めされることによって閉鎖される。その結果として、気流は、回転可能フレーム１２の領域１２Ｂに達することを阻止される。
【００１９】
領域２２Ａ内のルーバーを開放することが、風を回転可能フレーム１２の領域１２Ａ上へ誘導する。領域２２Ｃ内のルーバーを開放することが、気流（領域２２Ａを通って侵入する）を風力タービン１２の裏から流出可能とする。領域２２Ｂ内のルーバーを閉鎖することが、風力タービン１２の領域１２Ｂ上への気流を阻止する。領域２２Ｄ内のルーバーは、所望に応じて、通常動作の間、閉鎖または開放され得る。
【００２０】
次に図３Ｂを参照すると、風は方向を変え、風力タービン１０に対して方向Ｗ２から吹いている。枢動可能ルーバー２２の姿勢は変更され、領域２２Ａおよび２２Ｃ内のルーバーは、風向Ｗ２と平行に「開放」される。領域２２Ｂおよび２２Ｄ内の枢動可能ルーバー２２は、閉鎖される。
【００２１】
次に図３Ｃを参照すると、風は方向を変え、風力タービン１０に対して方向Ｗ３から吹いている。枢動可能ルーバーの姿勢は変更され、領域２２Ａおよび２２Ｃ内のルーバーは、風向Ｗ３と平行に「開放」される。領域２２Ｂおよび２２Ｄ内の枢動可能ルーバー２２は、閉鎖される。
【００２２】
次に図３Ｄを参照すると、風は方向を変え、風力タービン１０に対して方向Ｗ４から吹いている。枢動可能ルーバーの姿勢は変更され、領域２２Ａおよび２２Ｃ内のルーバーは、風向Ｗ４と平行に「開放」される。領域２２Ｂおよび２２Ｄ内の枢動可能ルーバー２２は、閉鎖される。
【００２３】
図３Ａ〜図３Ｄを通じて見られるように、回転可能フレーム１２の第１の部分１２Ａおよび第２の部分１２Ｂは、等しいか、またはほぼ等しいサイズである。このように、領域２２Ａ内のルーバーは、回転可能フレーム１２の片方の半分上へ気流を誘導し、領域２２Ｂ内のルーバーは、回転可能フレーム１２の他の半分上への気流を阻止する。図に見られるように、領域１２Ａおよび１２Ｂは、回転可能フレームの回転軸Ａを通る線Ｌによって分割される、回転可能フレームの相対する半分を備える。
【００２４】
図４Ａおよび図４Ｂは、個々の翼１４に対する風流が、回転可能フレーム１２を回転させるために使用される様子を示す。初めに、図４Ａでは、風Ｗは、翼１４に前方から流入する。風が翼１４の上面および下面を通過する際に、力Ｆとして揚力が生成され、この力が、回転可能フレーム１２を方向Ｒに回転させる。次に、図４Ｂでは、翼１４上の風Ｗは、力Ｆとしての抗力を発生し、この力が、再び回転可能フレーム１２を方向Ｒに回転させる。
【００２５】
最後に、図５は、後述のように、回転可能フレーム１２を軸Ａの回りに回転させる機構を示す。回転可能フレーム１２は、本明細書に記載されるように、その上に取り付けられた個々の翼１４を有する円形フープ（本明細書では、断面で示される）を備え得る。車輪１６および１８の対が、回転可能フレーム１２の周囲の種々の位置に設置され得る。４つのそのような車輪の対が、図１に示されている。図示されるように、回転可能フレーム１２は、車輪１８の頂部に位置する。車輪１６は、回転可能フレーム１２の側方向移動を防止する。
【００２６】
本発明に従って、回転可能フレーム１２の回転は、車輪１８の１つと接触する発電機３０によって、発電するために利用され得る。車輪１８の回転を用いて発電することの利点は、比較的小型サイズの車輪１８と接触する比較的大型サイズの回転可能フレーム１２による、ギア装備の利点を提供することである。その結果として、フレーム１２の低い回転速度さえも、車輪１８の高速回転に変換される。しかしながら、代替の実施形態では、回転可能フレーム１２自体が、発電機の回転子であり得る。
【００２７】
本発明のオプションの局面では、風力タービン１０は、風向計のような気流方向センサ４０をさらに備え得る（図１および図２）。風力タービン１０は、感知された風向に応じて、個々のルーバー２２の姿勢を調節する部材位置決めシステム５０をさらに備え得る（図１および図２）。部材位置決めシステム５０は、任意ではあるが、個々のルーバー２２の各々の底部に、機械的位置決めシステムを備え得る。
【００２８】
経時的な風向変化に応じて、個々のルーバー２２の姿勢を継続的に調節することによって、風力タービン１０は、風向にかかわらず、出力を生成し続けることができる。
【図面の簡単な説明】
【００２９】
【図１】図１は、ルーバー付エンクロージャが完全に閉鎖した状態の、高層ビル頂部に設置された本風力タービンの上部平面図である。
【図２】図２は、図１に対応する側面図である。
【図３Ａ】図３Ａは、図１の類似図面であるが、風が方向Ｗ１から建物に吹いているときに、いくつかのルーバーが枢動開放されている。
【図３Ｂ】図３Ｂは、図１の類似図面であるが、風が方向Ｗ２から建物に吹いているときに、いくつかのルーバーが枢動開放されている。
【図３Ｃ】図３Ｃは、図１の類似図面であるが、風が方向Ｗ３から建物に吹いているときに、いくつかのルーバーが枢動開放されている。
【図３Ｄ】図３Ｄは、図１の類似図面であるが、風が方向Ｗ４から建物に吹いているときに、いくつかのルーバーが枢動開放されている。
【図４Ａ】図４Ａは、図３Ａの翼の１つの拡大図である。
【図４Ｂ】図４Ｂは、図３Ａの翼の別のものの拡大図である。
【図５】図５は、図３Ａの線Ｌに沿った、風力タービンの回転可能フレームを支持する位置合わせ輪の対の側面図である。
【図１】
2009531600.tif 000003
【図２】
2009531600.tif 000004
【図３Ａ】
2009531600.tif 000005
【図３Ｂ】
2009531600.tif 000006
【図３Ｃ】
2009531600.tif 000007
【図３Ｄ】
2009531600.tif 000008
【図４Ａ】
2009531600.tif 000009
【図４Ｂ】
2009531600.tif 000010
【図５】
2009531600.tif 000011
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
回転可能フレームと、
該回転可能フレームに取り付けられた複数の翼であって、該複数の翼の各々は、湾曲した側と反対側の平坦な側とを有し、該複数の翼は、該回転可能フレームの回転軸と平行な方向に延在する、複数の翼と、
該回転可能フレームを囲繞するエンクロージャであって、該エンクロージャは、該回転可能フレームの第１の側の部分の上へ気流を誘導し、同時に、該回転可能フレームの第２の側の部分の上への気流を阻止するように構成された複数の可動部材を備え、該第１の側の部分と該第２の側の部分とは、互いに隣り合っている、エンクロージャと
を備える、風力タービン。
【請求項２】
前記可動部材は、枢動可能ルーバーを備える、請求項１に記載の風力タービン。
【請求項３】
前記枢動可能ルーバーは、前記気流の方向と平行な方向に配向されることによって開放される、請求項２に記載の風力タービン。
【請求項４】
前記可動部材は、前記回転可能フレームの前記第１の側の部分と前記第２の側の部分とがほぼ等しいサイズとなるように位置決めされる、請求項１に記載の風力タービン。
【請求項５】
前記可動部材は、前記回転可能フレームの片方の半分上への気流を阻止するように位置決めされる、請求項１に記載の風力タービン。
【請求項６】
前記回転可能フレームの前記第１の側の部分と前記第２の側の部分とは、該回転可能フレームの回転軸を通る線によって分割される該回転可能フレームの相対する半分を備える、請求項１に記載の風力タービン。
【請求項７】
前記回転可能フレームの前記回転軸に対して垂直な気流が、該回転可能フレームを回転させる、請求項１に記載の風力タービン。
【請求項８】
前記回転可能フレームは、鉛直軸の回りに回転する、請求項１に記載の風力タービン。
【請求項９】
前記回転可能フレームは、発電機の回転子である、請求項１に記載の風力タービン。
【請求項１０】
前記回転可能フレームと接触する発電機駆動輪をさらに備える、請求項１に記載の風力タービン。
【請求項１１】
前記エンクロージャは、矩形形状である、請求項１に記載の風力タービン。
【請求項１２】
気流方向センサをさらに備える、請求項１に記載の風力タービン。
【請求項１３】
前記回転可能フレームの前記第１の側の部分の上へ気流を誘導し、該回転可能フレームの前記第２の側の部分の上への気流を阻止するように前記可動部材を動かす、部材位置決めシステムをさらに備える、請求項１２に記載の風力タービン。
【請求項１４】
前記部材位置決めシステムは、枢動可能ルーバーを回転させて前記回転可能フレームの前記第１の側の部分の上の気流の方向に開放する、請求項１３に記載の風力タービン。
【請求項１５】
風力タービンを運転する方法であって、該方法は、
風力タービンの第１の側の部分の上へ気流を誘導し、同時に、該風力タービンの第２の側の部分の上への気流を阻止し、それによって、該風力タービンを回転させるように、複数の可動部材を位置決めすることであって、該第１の側の部分と該第２の側の部分とは、互いに隣り合っている、ことを包含し、
該風力タービンは、
回転可能フレームと、
該回転可能フレームに取り付けられた複数の翼であって、該複数の翼は、該回転可能フレームの回転軸と平行な方向に延在し、該複数の翼の各々は、湾曲した側と反対側の平坦な側とを有している、複数の翼と
を備える、
方法。
【請求項１６】
前記回転可能フレームの前記第１の側の部分と前記第２の側の部分とがほぼ等しいサイズとなるように、前記可動部材を位置決めすることをさらに包含する、請求項１５に記載の方法。
【請求項１７】
前記複数の可動部材を位置決めすることは、前記風力タービンを囲繞する複数のルーバーを枢動させることを包含する、請求項１５に記載の方法。
【請求項１８】
前記回転可能フレームの前記第１の側の部分と前記第２の側の部分とは、該回転可能フレームの回転軸を通る線によって分割される該回転可能フレームの相対する半分を備える、請求項１６に記載の方法。
【請求項１９】
気流の方向を感知することと、
該気流の方向に応じて、前記複数の可動部材を位置決めすることと
をさらに包含する、請求項１５に記載の方法。
【請求項２０】
前記複数の翼の各々は、該複数の翼の前記平坦な側が、前記回転可能フレームの回転軸から半径方向の外側に向けて延在するように、位置決めされている、請求項１に記載の風力タービン。
【請求項２１】
前記複数の翼の各々は、該複数の翼の前記平坦な側が、前記回転可能フレームの回転軸から半径方向の外側に向けて延在するように、位置決めされている、請求項１５に記載の方法。
【国際調査報告】
2009531600.tif 000012